(57)【要約】【課題】静電気による導光板と拡散板の吸着現象を防止することが可能な液晶表示パネルが載置される検査ステージを提供する。【解決手段】上面に検査のための液晶表示パネルが搭載されるワークテーブル、ワークテーブルの底面に配置されるバックライトユニット、ワークテーブルに設けられる第１光学板と第１光学板の上部に置かれる第２光学板及び第１光学板の高低を調節するための高低調節部材を含む。【選択図】  図２
2007140506.tif 000002
【特許請求の範囲】
【請求項１】
液晶表示パネル検査装備の検査ステージにおいて、
上面に検査のための液晶表示パネルが載置されるワークテーブルと、
前記ワークテーブルの底面に配置されるバックライトユニットと、
前記ワークテーブルは少なくとも１つの光学板を有することと、
前記光学板の高低を調節するための高低調節部材と、を含むことを特徴とする検査ステージ。
【請求項２】
前記高低調節部材は、
前記光学板の底面に水平に設けられるカム軸と、
前記光学板の底面と接するように前記カム軸に装着され前記光学板の高低を可変させるカムと、を含むことを特徴とする請求項１記載の検査ステージ。
【請求項３】
前記高低調節部材は、
前記カム軸を回転させるためのハンドルを更に含むことを特徴とする請求項２記載の検査ステージ。
【請求項４】
前記高低調節部材は、
前記カム軸を回転させるための駆動部を更に含むことを特徴とする請求項２記載の検査ステージ。
【請求項５】
前記駆動部は、モーターと前記モーターを制御する制御部とを含むことを特徴とする請求項４記載の検査ステージ。
【請求項６】
前記ワークテーブルは、
前記光学板より小さいサイズの開口部と、前記開口部を包囲し、かつ上面には液晶表示パネルが設けられるとともに、底面には前記光学板のエッジが位置されるフランジ部を有し、
前記フランジ部の底面には前記光学板の上面エッジに対して弾性的に接触される弾性部材を含むことを特徴とする請求項２記載の検査ステージ。
【請求項７】
前記高低調節部材のカム軸は、前記光学板の底面を横切って配置されることを特徴とする請求項４記載の検査ステージ。
【請求項８】
前記光学板は、前記ワークテーブルに設けられる導光板と、前記導光板の上部面から所定間隔だけ離隔するように前記ワークテーブルに設けられる拡散板又は偏光板を含むことを特徴とする請求項１記載の検査ステージ。
【請求項９】
前記光学板は、前記ワークテーブルに設けられる導光板と、前記導光板の上部面に位置される拡散板又は偏光板を含むことを特徴とする請求項１記載の検査ステージ。
【請求項１０】
前記高低調節部材は、前記光学板の４つのエッジにそれぞれ設けられて、光学板の傾きを調節することを特徴とする請求項１記載の検査ステージ。
【発明の詳細な説明】
【技術分野】
【０００１】
本発明は液晶表示パネルの検査装備に係り、より詳細には点灯検査のための液晶表示パネルが置かれる検査ステージに関する。
【背景技術】
【０００２】
一般に、平板ディスプレイの注力製品である液晶表示装置（ＴＦＴ−ＬＣＤ）は、量産技術確保と研究開発の成果により大型化と高解像度化が急速度に進行され、ノートパソコン用のみならず、大型モニター応用製品としても開発されて、従来のＣＲＴ製品を漸次代替して、ディスプレイ産業での重要性が漸次増えている。最近の情報化社会におけるディスプレイは、視覚情報伝達媒体としてその重要性がより一層強調されており、特に、全ての電子製品の軽薄短小傾向によって、低消費電力化、薄型化、軽量化、高画質、携帯性がより重要になっている。
【０００３】
液晶表示装置は、平板ディスプレイのこのような条件を満足させることができる性能のみならず、量産性まで有するディスプレイ装置である。従って、これを利用した各種新製品創出が急速度で行われており、電子産業界で半導体以上にその重要性が爆発的に増加する次世帯注力技術として注目されている。
【０００４】
このような液晶表示装置は、製造ラインの最終段階で点灯検査を行うことになるが、これは、特定な検査設備でプローブユニットを利用して液晶表示パネルのデータラインとゲートラインのそれぞれの断線検査と色相検査、そして顕微鏡等を利用した肉眼検査を実施している。
【０００５】
このような検査装置には、液晶表示パネルが載置される検査ステージを具備される。しかし、この検査ステージは、次のような問題点を有する。検査ステージで使用される導光板と拡散板は、相互摩擦接触によって静電気、即ち、摩擦電荷を発生する。このような摩擦電荷の発生で拡散板が導光板の上面に張り付く吸着現象によって斑が発生され、検査進行が不可能な状況が頻繁に発生されるという問題点があった。又、偏光板が拡散板の熱変形によってワークテーブルの上面に突出されながらワークテーブルの上面に置かれた液晶表示パネルを押して、液晶表示パネルの検査進行が不可能な状態が発生する場合もある。
【特許文献１】韓国特許出願公開第２０００−６４３１５号明細書
【特許文献２】韓国特許出願公開第２００１−５４２７９号明細書
【発明の開示】
【発明が解決しようとする課題】
【０００６】
本発明は、前述した問題点を鑑みてなされたものであり、その目的は、静電気による導光板と拡散板の吸着現象を防止することができる液晶表示パネル検査装備の検査ステージを提供することにある。
本発明の他の目的は、偏光板がワークテーブルの上面に突出されることを防止することができる液晶表示パネル検査装備の検査ステージを提供することにある。
本発明の更に他の目的は、ワークテーブルに設けられた導光板の高低を調節することができる液晶表示パネル検査装備の検査ステージを提供することにある。
【課題を解決するための手段】
【０００７】
前述した目的を達成するために、本発明は上面に検査のための液晶表示パネルが搭載されるワークテーブル、前記ワークテーブルの底面に配置されるバックライトユニット、前記ワークテーブルに設けられる第１光学板と前記第１光学板の上部に置かれる第２光学板
、及び前記第１光学板の高低を調節するための高低調節部材を含む。
【０００８】
本発明の実施例によると、前記高低調節部材は、前記第１光学板の底面に水平に設けられるカム軸、前記第１光学板の底面と接するように前記カム軸に装着され前記第１光学板の高低を可変させるカム、及び前記カム軸を回転させるためのハンドルを含むことができる。
【０００９】
本発明の実施例によると、前記高低調節部材は、前記カム軸を回転させるための駆動部を更に含むが、前記駆動部は、モーターと前記モーターを制御する制御部を含むことができる。
【００１０】
本発明の実施例によると、前記ワークテーブルは、前記第１光学板より小さいサイズの開口部、前記開口部を取り囲むそして上面には液晶表示パネルが置かれ、底面には前記第１光学板のエッジが位置されるフランジ部を有し、前記フランジ部の底面には前記第１光学板の上面エッジに弾力的に接触される弾性部材を含むことができる。
【００１１】
本発明の実施例によると、前記高低調節部材のカム軸は、前記第１光学板の底面を横切って配置されることができる。
前述した目的を達成するための本発明の液晶表示パネル検査装備の検査ステージは、上面に検査のための液晶表示パネルが搭載されるワークテーブル、前記ワークテーブルの底面に配置されるバックライトユニット、前記ワークテーブルに設けられ、前記バックライトユニットから発生した光が入射する光入射面、入射した光が出射する光出射面を有する第１光学板、及び前記第１光学板の光入射面のエッジに設けられ前記第１光学板の高低を可変させるための高低調節部材を含むことができる。
【００１２】
本発明の実施例によると、前記高低調節部材は、前記第１光学板の光入射面に水平に設けられるカム軸、前記第１光学板の光入射面と接するように前記カム軸に装着されるカム、及び前記カム軸を回転させるためのハンドルを含むことができる。
【００１３】
本発明の実施例によると、前記ワークテーブルは、前記第１光学板より小さいサイズの開口部、前記開口部を取り囲むそして上面には液晶表示パネルが置かれ、底面には前記第１光学板のエッジが位置されるフランジ部を有し、前記フランジ部の底面には前記第１光学板の上面エッジに弾力的に接触される弾性部材を含むことができる。
【００１４】
本発明の実施例によると、前記高低調節部材は、前記第１光学板のエッジ４所に設けられ前記第１光学板の傾きを調節することができる。
例えば、本発明の実施例は多様な形態に変形されることができ、本発明の範囲が下記する実施例によって限定されることと解釈すべきではない。本実施例は、当業界で平均的な知識を有する者に本発明をより完全に説明するために提供されるものである。従って、図面での要素の形状等は、より明確な説明を強調するために誇張されたものである。
【発明を実施するための最良の形態】
【００１５】
本発明の実施例を図１乃至図６を参照して詳細に説明する。又、前記図面で同じ機能を行う構成要素には同じ参照符号を付与する。
本発明による検査ステージ１００は、プローブユニットを利用して検査対象物（以下、液晶表示パネル）のデータラインとゲートラインのそれぞれの断線検査と色相検査、そして顕微鏡等を利用した肉眼検査を実施する液晶表示パネル検査装備から光源に液晶表示パネルを照明する装置である。
【００１６】
本発明は、導光板１３０と拡散板１３２の吸着現象を防止し、拡散板１３２の熱変形で
拡散板１３２の上面に置かれた偏光板１３４がワークテーブル１１０の上面に突出されることを防止するためのものである。これを達成するために本発明の検査ステージ１００は、導光板１３０の高低を調節する高低調節部材１４０を有することにその特徴がある。
【００１７】
図１は、本発明の実施例による検査ステージを示す。図２は、本発明の実施例による検査ステージの平面図である。図３は、本発明の実施例による検査ステージの断面図である。
【００１８】
図１乃至図３を参照しながら具体的に説明すると、検査ステージ１００は、液晶表示パネル１０を解除可能に真空吸着するワークテーブル１１０、このワークテーブル１１０に置かれた液晶表示パネル１０の後方で照明するように点灯されるランプ１２２を有するバックライトユニット１２０、バックライトユニット１２０の光を液晶表示パネル１０に提供するための導光板１３０と拡散板１３２と偏光板１３４等の光学板そして導光板１３０の高低を調節する高低調節部材１４０を含む。図面には図示していないが、検査ステージ１００はワークテーブル１１０をＸ方向及びＹ方向そしてＺ方向に移動させ、かつＺ軸線の周りに角度を有して回転される整合ユニットを含むことができる。
【００１９】
ワークテーブル１１０は、４つの側面１１２ａによって内部空間１１２が提供され、上面には四角形の開口部１１４を有し、この開口部１１４は、フランジ部１１６によって取り囲まれる。ワークテーブル１１０のフランジ部１１６の上面には、液晶表示パネル１０が置かれ、底面には導光板１３０を支持するためのステップボルト１９０が締結されるねじホール１１７が提供される。又、フランジ部１１６の底面には、ウレタンからなる弾性部材１１８が設けられる。この弾性部材１１８は、導光板１３０の上面１３１ａを弾力的に支持することになる。
【００２０】
例えば、液晶表示パネル１０は、エッジ部分（アクティブ領域とＴＦＴ外郭との間の部分）がワークテーブル１１０フランジ部１１６の上面に形成されている真空スロット（図示せず）を通じて真空吸着されるか、又はワークテーブル１１０のフランジ部１１６に設けられるクランプ（図示せず）で固定されることができ、このような固定方式は、液晶表示パネル検査設備で通常的に使用される常用化された方式でその部分についての説明は省略する。
【００２１】
導光板１３０は、バックライトユニット１２０のランプ１２２から出た光を液晶表示パネル１０方向に送る透明なアクリルからなる。導光板１３０は、バックライトユニット１２０のランプ１２２から発生した光が入射する光入射面（底面に該当）１３１ａと、入射した光が出射する光出射面（上面）１３１ｂとを有する。導光板１３０は、拡散板１３２とランプ１２２との間においてワークテーブル１１０のフランジ部１１６の底面に多数のステップボルト１９０によって固定支持される。このために、導光板１３０は、ねじホール１１７と対応されるエッジにステップボルト１９０が挿入される貫通孔１３１ｃが形成される。
【００２２】
図３に示すように、ステップボルト１９０は、フランジ部１１６のねじホール１１７に結合されるねじ部１９２と、ねじ部１９２から連続的に連結されねじ部１９２より大きい直径を有して、導光板１３０の貫通孔１３１ｃに位置される円筒部１９４と、円筒部１９４の直径より大きい直径を有するヘッド部１９６とを含む。ステップボルト１９０は、導光板１３０の貫通孔１３１ｃを通じてフランジ部１１６のねじホール１１７に結合され、導光板１３０は、ステップボルト１９０及びカム１４２によってフランジ部１１６に支持される。導光板１３０は、垂直方向に所定の間隔だけ自由に流動可能に支持される。
【００２３】
拡散板１３２は、導光板１３０を通じて出る光を拡散させて液晶表示パネル１０に提供
するためのもので、導光板１３０の光出射面１３１ｂに載置される。そして、多数方向の光が一方向に透過されるようにする偏光板１３４は、拡散板１３２の上面に載置される。
【００２４】
このように、検査ステージ１００でランプ１２２の光は、導光板１３０、拡散板１３２、及び偏光板１３４を通過して液晶表示パネル１０に提供される。偏光板１３４は、必要によって省略されるか、又は他の光学板に代替されることができる。本実施例では、光の伝達手段として拡散板１３２と偏光板１３４の以外に拡散シート、プリズムシート等が多層に積層された構造が提供されることができる。
【００２５】
本発明で一番重要な構成要素である高低調節部材１４０は、導光板１３０の高低を調節するためのもので、カム１４２が設けられたカム軸１４４とカム軸１４４を回転させるための駆動部１４６を含む。カム軸１４４は、導光板１３０の両側エッジに水平に横切ってワークテーブル１１０の側面に回転可能に設けられ、カム軸１４４には導光板１３０の光入射面１３１ａと接するカム１４２が設けられる。カム軸１４４を回転させるための駆動部１４６はハンドル１４７からなり、このハンドル１４７はワークテーブル１１０の外郭でカム軸１４４の一端と連結される。
【００２６】
例えば、高低調節部材１４０は、図４、図５のように、ワークテーブル１１０の４つの側面に設けられる。この場合、導光板の４箇所で高低調節が可能なので、導光板の平面傾きを調節することができる。
【００２７】
図４及び図５に図示された検査ステージは、４つの高低調節部材１４０が設けられた他の例を示す。４つの高低調節部材が設けられたワークテーブル１１０は、導光板１３０を含む光学板の平面傾きを高低調節部材１４０が設けられた４箇所を通じて調節することができる。即ち、２つの高低調節部材１４０が設けられたワークテーブル１１０の場合、左右傾き（平面傾き）のみ調節することができる反面、４つの高低調節部材１４０が設けられたワークテーブル１１０では、前後左右傾きを調節することができる。ここで、高低調節部材１４０は、短い長さのカム１４２とカム軸１４４を使用することが好ましい。
【００２８】
このような構成でなされる高低調節部材１４０は、ハンドル操作又はモーター駆動を通じて導光板１３０の高低を可変させることができる。例えば、導光板１３０と拡散板１３２が静電気によって吸着されても、高低調節部材１４０のハンドル１４７を回すと、導光板１３０の高低が可変されながら、導光板１３０の光出射面１３１ｂに吸着された拡散板１３２が離れて吸着現象による斑も除去される。
【００２９】
検査ステージ１００で長期間液晶表示パネル１０を検査すれば、拡散板１３２がランプ１２２の熱による熱変形が発生されることができる。拡散板１３２が熱変形されながら、偏光板１３４の平面度（平面傾き）が不均一になり、酷い場合には拡散板１３２の上面に置かれた偏光板１３４が突出されながら、ワークテーブル１１０の上面に載置されている液晶表示パネル１０を押してしまう場合も発生される。特に、偏光板１３４とワークテーブル１１０の上面との間隔が狭い場合には、偏光板１３４がワークテーブル１１０の上面より高く突出されながら、液晶表示パネル１０と接触される場合も発生されることができる。しかし、このような問題は、本発明で開示した高低調節部材１４０によって導光板１３０の高さを低くすることにより改善されることができる。特に、ランプ１２２の熱によって熱変形等で偏光板１３４の平面度誤差が発生した場合、その平面度誤差が発生された部分に対応されるカム軸１４４を回転させて導光板１３０の高さを調節することにより、偏光板１３４の平面度誤差を最小限に調節することができる。そして、偏光板１３４の平面度誤差によって偏光板１３４がワークテーブル１１０の上面から突出される場合にも高低調節部材１４０のカム軸１４４を回転させて導光板１３０の高さを低くすることと解決することができる。
【００３０】
本実施例では、カム軸を回転させる駆動部１４６がハンドル１４７として開示されているが、これは一つの例に過ぎない。図６のように、駆動部１４６はカム軸１４４と連結されるモーター１４８と、モーター１４８を制御する制御部１４９で構成されることができる。図６のような場合には、一定量の液晶表示パネル１０を検査した直後に自動的にカム軸１４４を一回回転させるように駆動部１４６を設定することができる。このように定期的に高低調節部材１４０を作動させると、導光板１３０と拡散板１３２が静電気によって吸着されることを予め予防することができる効果を得ることができる。
【００３１】
一方、本発明は、前記の構成でなされた液晶表示パネル検査装備の検査ステージは多様に変形されることができ、多様な形態を有することができる。しかし、本発明は前記の詳細な説明で言及される特別な形態に限定されず、添付された請求範囲によって定義される本発明の精神と範囲内にある全ての変形物と均等物及び代替物を含むことと理解されなければならない。
【産業上の利用可能性】
【００３２】
前述したように、本発明の検査ステージは、静電気による導光板と拡散板の吸着現象を防止することができる。本発明の検査ステージは、偏光板がワークテーブル上面に突出されることを防止することができる。本発明の検査ステージは、ワークテーブルに設けられた導光板の高低を調節することができる。
【００３３】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００３４】
【図１】本発明の実施例による検査ステージの斜視図。
【図２】本発明の実施例による検査ステージの平面図。
【図３】本発明の実施例による検査ステージの断面図。
【図４】４つの高低調節部材が設けられた検査ステージの平面図。
【図５】図４のａ−ａ線における断面図。
【図６】本発明の変形例による検査ステージの平面図。
【符号の説明】
【００３５】
１１０    ワークテーブル
１２０    バックライトユニット
１３０    導光板
１３２    拡散板
１４０    高低調節部材
【図１】
2007140506.tif 000003
【図２】
2007140506.tif 000004
【図３】
2007140506.tif 000005
【図４】
2007140506.tif 000006
【図５】
2007140506.tif 000007
【図６】
2007140506.tif 000008